(57)【特許請求の範囲】
【請求項１】
メディアにデータの書き込みおよび／またはデータの読み込みを行うメディアドライブが複数積層されて設けられ、さらに前記メディアのレーベル面に印刷を行うレーベルプリンタが設けられたメディア処理装置であって、
外気を当該装置内に導入して当該装置内を冷却するためのファンと、
前記ファンによって導入された外気を積層されている前記メディアドライブ間の隙間に導くガイドとなるフードと、を有し、
前記レーベルプリンタは、前記ファンに導入された外気の流れの前記メディアドライブより下流側に配置されているメディア処理装置。
【請求項２】
請求項１に記載のメディア処理装置において、
当該装置内で前記メディアドライブの側面に配置されたフレームには、前記メディアドライブ間の隙間と同じ高さに切欠きが形成されているメディア処理装置。
【請求項３】
請求項１または２に記載のメディア処理装置において、
前記ファンの中心高さ位置が、積層された前記メディアドライブ間の隙間位置に配置されているメディア処理装置。
【請求項４】
請求項１から３の何れか一項に記載のメディア処理装置において、
積層されている前記メディアドライブの後方に上下方向にフラットケーブルが配線されており、前記ファンが前記メディアドライブの後方において前記フラットケーブルの左右両側に各々設けられているメディア処理装置。
【請求項５】
請求項４に記載のメディア処理装置において、
前記ファンに取り付けられている一方の前記フードは、導入した略全ての外気を前記メディアドライブ間の隙間に導く形状であり、
他方の前記フードは、導入した外気の一部を前記メディアドライブ間の隙間に導くとともに、導入した外気の残りを他の機器に導く形状であるメディア処理装置。
【請求項６】
請求項１から５の何れか一項に記載のメディア処理装置において、
前記ファンの上流側にはフィルタが着脱可能に設けられているメディア処理装置。
【請求項７】
請求項１から６の何れか一項に記載のメディア処理装置において、
前記レーベルプリンタはインクジェットヘッドを有するインクジェットプリンタであるメディア処理装置。
【発明の詳細な説明】
【技術分野】
【０００１】
本発明は、ＣＤやＤＶＤ等のメディアにデータの書き込みを行うメディアドライブが複数積層されて設けられたメディア処理装置に関する。
【背景技術】
【０００２】
近年、多数枚のブランクＣＤ（Compact Disc）やＤＶＤ（Digital Versatile Disc）等のメディア（情報記録媒体）にデータの書き込みを行うディスクダビング装置、データの書き込みとレーベル印刷を行ってメディアを制作して発行可能なＣＤ／ＤＶＤパブリッシャ等のメディア処理装置が用いられつつある。この種のメディア処理装置としては、メディアへデータを書き込むメディアドライブ、メディアのレーベル面に印刷を施すレーベルプリンタ及びこれらメディアドライブやレーベルプリンタに対してメディアを保持して搬送するメディア搬送機構等を備えたものが知られている（例えば、特許文献１参照）。
【０００３】
【特許文献１】米国特許第５，７３４，６２９号明細書
【発明の開示】
【発明が解決しようとする課題】
【０００４】
ところで、メディアドライブの書き込み品質を向上させるには、メディアドライブの雰囲気温度が動作保障温度を満足していることが要求される。しかしながら、メディア処理装置内の限られたスペースにおいて、多数枚の円板状のメディアに効率良くデータを書き込むためにメディアドライブが積層されて設けられている場合には、連続書き込み処理を行ったときなどに、積層されたメディアドライブ間の温度が上昇して動作保障温度を超えるおそれがあった。
【０００５】
そこで、本発明の目的は、複数積層されて設けられたメディアドライブを効率よく冷却して動作保障温度を維持し、データ書き込み品質を良好に保つことができるメディア処理装置を提供することにある。
【課題を解決するための手段】
【０００６】
上記課題を解決することのできる本発明に係るメディア処理装置は、円板状のメディアにデータの書き込みおよび／またはデータの読み込みを行うメディアドライブが複数積層されて設けられたメディア処理装置であって、外気を当該装置内に導入して当該装置内を冷却するためのファンと、前記ファンによって導入された外気を積層されている前記メディアドライブ間の隙間に導くガイドとなるフードと、を有する。
【０００７】
この構成のメディア処理装置によれば、ファンによって導入した外気が、フードによってメディアドライブ間の隙間に導かれるため、温度が上昇し易いメディアドライブ間を外気によって効率良く冷却することができる。これにより、メディアドライブの雰囲気温度を動作保障温度内に維持して、メディアドライブの書き込みおよび／またはデータの読み込み品質を良好に保つことができる。
【０００８】
本発明に係るメディア処理装置において、当該装置内で前記メディアドライブの側面に配置されたフレームには、前記メディアドライブ間の隙間と同じ高さに切欠きが形成されていることが好ましい。
この構成のメディア処理装置によれば、ファン及びフードによってメディアドライブ間の隙間に導入された外気の一部がフレームに形成された切欠きを通過して流れて、メディア処理装置内の他の機器も冷却することができる。
【０００９】
本発明に係るメディア処理装置において、前記ファンの中心高さ位置が、積層された前記メディアドライブ間の隙間位置に配置されていることが好ましい。
この構成のメディア処理装置によれば、ファンによって導入された外気は、ファンの中心高さ位置にあるメディアドライブ間の隙間を中心に流れるので、メディアドライブを効率よく冷却することができる。
【００１０】
本発明に係るメディア処理装置において、積層されている前記メディアドライブの後方に上下方向にフラットケーブルが配線されており、前記ファンが前記メディアドライブの後方において前記フラットケーブルの左右両側に各々設けられていることが好ましい。
この構成のメディア処理装置によれば、積層されているメディアドライブの後方に上下方向にフラットケーブルが配線されている場合には、後方からメディアドライブ間の隙間に外気を導入する際に、フラットケーブルが障壁となる。このため、フラットケーブルの左右両側にファン及びフードを設けて、フラットケーブルを回避するようにメディアドライブ間の隙間に外気を導入することで、メディアドライブを外気により確実に冷却することができる。
【００１１】
本発明に係るメディア処理装置において、前記ファンに取り付けられている一方の前記フードは、導入した略全ての外気を前記メディアドライブ間の隙間に導く形状であり、他方の前記フードは、導入した外気の一部を前記メディアドライブ間の隙間に導くとともに、導入した外気の残りを他の機器に導く形状であることが好ましい。
この構成のメディア処理装置によれば、一方のファンによって導入された外気の略全てをメディアドライブ間の隙間に導くとともに、他方のファンによって導入された外気の一部をメディアドライブ間の隙間に導くため、十分な外気の取り込み量により確実にメディアドライブを冷却することができる。また、他方のファンによって導入された残りの外気を他の機器に導くため、他の機器も同時に冷却することができる。
【００１２】
本発明に係るメディア処理装置において、前記ファンの上流側にはフィルタが着脱可能に設けられていることが好ましい。
この構成のメディア処理装置によれば、ファンの上流側にフィルタを着脱可能に設けられているため、ファンによって外気を導入する際に、外気に含まれる埃等を除去することができ、装置内部に埃等の侵入を防止することができる。したがって、メディアドライブのデータ書き込みおよび／またはデータの読み込み品質を良好に保つことができる。また、フィルタを適宜交換することで冷却性能を維持することができる。
【００１３】
本発明に係るメディア処理装置において、前記メディアのレーベル面に印刷を行うレーベルプリンタが設けられ、前記レーベルプリンタは、前記ファンに導入された外気の流れの前記メディアドライブより下流側に配置されていることが好ましい。
この構成のメディア処理装置によれば、ファン及びフードによって導入された外気は、まず上流側にあるメディアドライブを冷却した後、下流側に設けられているレーベルプリンタに流れるので、レーベルプリンタにおいて生じたインクミストが上流側のメディアドライブに流れ込むのを防止することができる。これにより、書き込みに用いられるレンズの汚れによる書き込みおよび／またはデータの読み込み品質の低下を防止することができる。
【発明を実施するための最良の形態】
【００１４】
以下、本発明に係るメディア処理装置の実施形態の例を、図面を参照しつつ説明する。
なお、本実施形態では、メディア処理装置としてのディスクパブリッシャを例示して説明する。
図１は各部を閉状態としたパブリッシャ（メディア処理装置）の外観斜視図、図２は各部を開状態としたパブリッシャの外観斜視図、図３はパブリッシャのケースを外した状態の前方上側から見た斜視図、図４はパブリッシャに設置されたレーベルプリンタ部分の斜視図である。
【００１５】
図１に示すように、パブリッシャ１は、例えばＣＤやＤＶＤ等の円板状のメディア（情報記録媒体）へのデータの書き込みおよび／またはデータの読み込みやメディアのレーベル面への印刷を行うメディア処理装置であり、ほぼ直方体形状のケース２を備えている。このケース２の前面には、左右に開閉可能な開閉扉３，４が取り付けられている。ケース２の上側右（正面視左）端部には、表示ランプ、操作ボタン等が配列された操作面５が設けられており、また、ケース２の下端には、下方に突出するように載置用の脚部６が左右両側に設けられている。左右の脚部６の間位置には引出機構７が設けられている。
【００１６】
装置左（正面視右）側の開閉扉３は、図２に示すように、パブリッシャ１の前面側の開口部８を開閉するもので、例えば未使用（ブランク）のメディアＭを開口部８を介してセットする時、あるいは作成済みのメディアＭを、開口部８を介して取り出すときに、開閉する扉である。
また、装置右（正面視左）側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【００１７】
パブリッシャ１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１８】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１９】
下側のメディアスタッカ２２も同一構造となっており、左右一対の円弧状の枠板２７，２８を備え、これによって、メディアＭを上側から受け入れ、同軸に積層した状態で収容可能なスタッカが構成されている。
【００２０】
これらのメディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００２１】
上下のスタッカ２１，２２及びメディア搬送機構３１の側方の後方の部位には、上下に積層された２つのメディアドライブ４１，４１が配置され、これらメディアドライブ４１，４１の下側にレーベルプリンタ１１のキャリッジ６２（図４参照）が移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００２２】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００２３】
図３では、上下のメディアドライブ４１，４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２４】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００２５】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴６５（図２参照）であって、後述するメディアスタッカ（別体スタッカ）が装着されるガイド穴６５が形成されている。
【００２６】
引出機構７は、本体フレーム３０の下側に、本体フレーム３０から引き出して開いたり、収納して閉じたりすることが可能な引出トレイ７０を有している。引出トレイ７０には、スタッカ部７１が下方に凹んで設けられている。引出トレイ７０が収納位置（閉位置）にあるとき、スタッカ部７１は、ガイド穴６５の下方に位置し、スタッカ部７１の中心部は、受け渡し位置にある両メディアトレイ４１ａとメディアトレイ４５の中心軸線が同一となるように位置されている。このスタッカ部７１は、ガイド穴６５を介して投入されるメディアＭを受け入れ、このメディアＭを比較的少量（例えば５枚〜１０枚程度）だけ収容する。スタッカ部７１は、メディアＭを上側から受け入れ、同軸に積層した状態で収容可能となっている。
【００２７】
収納状態にある引出トレイ７０のスタッカ部７１及びガイド穴６５には、スタッカ部７１よりもメディアＭの収容量が多いメディアスタッカ（別体スタッカ）７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザによって把持される取っ手７５が設けられている。
【００２８】
従って、メディアスタッカ７２を取り付けた状態とすれば、下側のメディアスタッカ２２から未使用のメディアＭを取り出し、メディアドライブ４１およびレーベルプリンタ１１でデータ記録および印刷を行った後に、メディアスタッカ７２に収容することができる。
また、例えば、上側のメディアスタッカ２１及び下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００２９】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のスタッカ部７１に収容することができる。
【００３０】
これにより、その後、引出トレイ７０を引き出すことでスタッカ部７１から処理が完了したメディアＭを取り出すことができる。つまり、メディアＭへの処理中であっても、開閉扉３を閉じたまま、処理が完了したメディアＭから順に一枚ずつあるいは複数枚ずつ取り出すことができる（外部排出モード）。
【００３１】
ここで、メディア搬送機構３１の搬送アーム３６の昇降及び左右への旋回の組み合わせ動作によって、メディアＭは、メディアスタッカ２１、メディアスタッカ２２、引出トレイ７０のスタッカ部７１（またはメディアスタッカ７２）、各メディアドライブ４１のメディアトレイ４１ａ及びレーベルプリンタ１１のメディアトレイ４５間で適宜搬送される。
【００３２】
図４に示すように、レーベルプリンタ１１はインク吐出用のノズル（図示省略）を備えたインクジェットヘッド６１を有するキャリッジ６２を備えており、このキャリッジ６２は、キャリッジモータの駆動力でキャリッジガイド軸に沿って水平方向に往復移動する（図示省略）。
【００３３】
レーベルプリンタ１１は、インクカートリッジ１２が装着されるカートリッジ装着部１４を有するインク供給機構６０を備えている。このインク供給機構６０は、縦型構造を有しており、パブリッシャ１の本体フレーム３０上に立設されて鉛直方向に配設されている。このインク供給機構６０には、可撓性を有するインク供給チューブ６３の一端が接続されており、このインク供給チューブ６３の他端は、キャリッジ６２に接続されている。
【００３４】
そして、インク供給機構６０に装着されるインクカートリッジ１２のインクは、インク供給チューブ６３を介してキャリッジ６２に供給され、このキャリッジ６２に設けられたダンパユニット及び背圧調整ユニット（図示省略）を経てインクジェットヘッド６１に供給されインクノズル（図示省略）から吐出される。
なお、インク供給機構６０には、その上部に主部を配置するように加圧機構６４が設けられており、この加圧機構６４は、圧縮空気を送り出してインクカートリッジ１２内を加圧し、インクカートリッジ１２内のインクパックに貯留しているインクを送り出す。
【００３５】
また、キャリッジ６２のホームポジション（図４に示す位置）における下方側には、ヘッドメンテナンス機構８１が設けられている。
このヘッドメンテナンス機構８１は、ホームポジションに配置されたキャリッジ６２の下面に露出するインクジェットヘッド６１のインクノズルを覆うヘッドキャップ８２と、インクジェットヘッド６１のヘッドクリーニング動作やインク充填動作によってヘッドキャップ８２に排出されたインクを吸引する廃インク吸引ポンプ８３とを備えている。
【００３６】
そして、このヘッドメンテナンス機構８１の廃インク吸引ポンプ８３によって吸引されたインクは、チューブ８４を介して、廃インク吸収タンク８５へ送り込まれる。
この廃インク吸収タンク８５は、ケース８６内に図示しない吸収材を配設したもので、その上面は、複数の通気孔８７を有するカバー８８によって覆われている。
なお、ヘッドメンテナンス機構８１の下方には、廃インク吸収タンク８５の一部である廃インク受け部８９が設けられ、ヘッドメンテナンス機構８１から滴下したインクを受け止め、吸収材によって吸収するようになっている。
【００３７】
図２及び図３に示したように、メディアドライブ４１，４１はパブリッシャ１内の限られたスペースにおいて積層されて設けられており、発熱しやすいメディアドライブ４１，４１間の隙間Ｓ（図１０参照）は特に高温となるおそれがある。また、メディアドライブ４１の書き込み品質を良好に保つためには、メディアドライブ４１の雰囲気温度が動作保障温度を満足していることが要求される。そのため、本実施形態のパブリッシャ１は、メディアドライブ４１，４１間の隙間Ｓに外気を導入する冷却機構を設けて、メディアドライブ４１の冷却を効率良く行うようにしている。
【００３８】
図５はパブリッシャを後方から見た斜視図であり、図６はケースの背面パネルの内面を示す斜視図である。
図５に示すように、ケース２の背面を着脱可能に覆う背面パネル２ａの上部には、外気を取り込んでケース２内の冷却を行う冷却機構５０が設けられている。背面パネル２ａの上部には、パブリッシャ１の後方からケース２の内部に外気を取り込むために、２個の矩形状をした切欠き穴５１ａ，５１ｂ（図９参照）が左右に設けられており、この切欠き穴５１ａ，５１ｂ位置の背面パネル２ａの内面には、図６に示すようにそれぞれファン５２，５３及びフード５４，５５が取り付けられている。ファン５２，５３とフード５４，５５は一体的なものでもよいし、背面パネル２ａにファン５２，５３を備えたフレームを取り付け、このフレームの内側にフード５４，５５を取り付けるようにしてもよい。
【００３９】
また、各切欠き穴５１ａ，５１ｂ位置の背面パネル２ａの外側面、すなわちファン５２，５３の外気導入における上流側には、フィルタ５６が交換可能に取り付けられており、外気をケース２内部に導入する際に、外気の埃等が捕捉される。それにより、パブリッシャ１の内部に埃等が侵入することを防止し、メディアＭへの埃の付着を防いでデータ書き込み品質やレーベル面印刷品質の低下を防ぐとともに、メディアドライブ４１の書き込みに用いられるレンズの汚れを防ぐことで書き込み品質を良好に保つことができる。また、フィルタ５６を適宜交換することで冷却性能を維持することができる。
【００４０】
また、冷却機構５０の左側には、ケース２の内部に設けられた電源ユニット４２が、背面パネル２ａの外側面に着脱可能に設けられており、この蓋４３には外部電源を接続するための電源接続部４４が設けられている。
【００４１】
図７は、図５中VII−VII位置のパブリッシャの前後方向の断面図である。なお、図７において左側がパブリッシャの前方である。
図７に示すように、ケース２の内部には、断面Ｌ字型のフレーム３４により、ケース２の内部において後上部空間が区画されることになる。
【００４２】
図８は、ケース内におけるメディアドライブ設置部分を示す後上方から見た斜視図であり、図９はメディアドライブ設置部分を上方から見た平面図である。なお、図８において右奥側がパブリッシャの前方であり、図９において下側がパブリッシャの前方である。
図８及び図９に示すように、断面Ｌ字型のフレーム３４によって区画される後上部空間には、中央に積層された２つのメディアドライブ４１，４１が配置され、装置左側には電源ユニット４２、装置右側には基板ユニット４６が設けられている。
【００４３】
図１０は積層されたメディアドライブ及びメディアドライブ用フレームを示す斜視図、図１１は図１０中XI方向から見た側面図である。なお、図１０において左手前側がパブリッシャの前方であり、図１１において左側がパブリッシャの前方である。
図１０及び図１１に示すように、積層されたメディアドライブ４１，４１は、メディアドライブ用フレーム４７に囲繞されている。メディアドライブ用フレーム４７は、左右の側板４７ａ，４７ｂ及び天板４７ｃを有しており、フレーム３４の上面に取り付けられるようになっている。天板４７ｃの前端は上方へ折り曲げられて取付部４７ｄが形成されており、中間フレーム３４の背面に取り付けるようになっている。また、側板４７ａ，４７ｂにおいてメディアドライブ４１，４１間の隙間Ｓに対応する高さ位置には、切欠き穴４７ｅが設けられている。なお、天板４７ｃの上面には、メディアドライブ４１の動作を制御するための制御機器（他の機器）４１ｂが搭載されている（図８参照）。
【００４４】
図８に示すように、積層されたメディアドライブ４１，４１は、背面の中央部においてフラットケーブル４８によって天板４７ｃ上の制御機器４１ｂと接続されている。したがって、ある程度の幅を有するフラットケーブル４８の位置においては、メディアドライブ４１，４１間の隙間Ｓはフラットケーブル４８によって後方から覆われるため、ファン５２，５３及びフード５４，５５は、フラットケーブル４８を避けて、フラットケーブル４８の左右位置に配置されている。
また、ファン５２，５３は、それらの中心高さ位置が、積層されたメディアドライブ４１，４１間の隙間Ｓの高さ位置と一致するように配置されている。それにより、ファン５２，５３によって導入された外気を積極的にメディアドライブ４１，４１間の隙間Ｓに向けて流すようにしている。
【００４５】
図１２は左側のファンに設けられた一方のフードを後方右側から見た斜視図、図１３はそのフードを前方左側から見た斜視図、図１４はそのフードを上方から見た平面図、図１５はそのフードを前方から見た正面図である。
図１２〜図１５に示すように、一方（装置左側）のフード５４は、ファン５２によって導入された略全ての外気をメディアドライブ４１間の隙間Ｓに導くように形成されたものである。
【００４６】
フード５４は、略正方形の枠５４ａを有しており、その四隅には取り付け用のねじ穴５４ｂが設けられている。また、枠５４ａの上下両辺から前方に向かって間隔を狭めるようにして２つの板部材５４ｃ，５４ｄが設けられており、これら板部材５４ｃ，５４ｄの左右両側には、枠５４ａの左右両辺から前方に向かって延びた蓋材５４ｅ，５４ｆが設けられている。蓋材５４ｅは枠５４ａに対して略直交しており、真っ直ぐ前方へ伸びている。また、蓋材５４ｆは、先端が枠５４ａの中央寄りに向かって傾斜している。
【００４７】
板部材５４ｃ，５４ｄ及び蓋材５４ｅ，５４ｆにより、枠５４ａの前方には、外気を導入する空間である導入口５４ｇが一定の幅で左右方向に長く形成されることになる。この導入口５４ｇは上下の高さが小さく、導入口５４ｇの断面積は、フード５４に外気が導入される断面積、すなわち枠５４ａの内側の断面積と比較してかなり狭くなっているため、外気は勢いよく導入口５４から噴出されることになる。
【００４８】
なお、フード５４の取り付け位置は、導入口５４ｇが前方（すなわちケース２の内部）に向かって突出するとともに、導入口５４ｇがメディアドライブ４１，４１間の隙間Ｓに対向するように配置される位置である。これにより、ファン５２によって導入された外気は、導入口５４ｇから効率よくメディアドライブ４１，４１間の隙間Ｓに導かれることになる。
【００４９】
図１６は右側のファンに設けられた他方のフードを後方左側から見た斜視図、図１７はそのフードを前方右側から見た斜視図、図１８はそのフードを前方から見た正面図、図１９はそのフードを上方から見た平面図である。
図１６〜図１９に示すように、他方（装置右側）のフード５５は、ファン５３によって導入された外気の一部をメディアドライブ４１，４１間の隙間Ｓに導くとともに、ファン５３によって導入された外気の残りを他の機器である基板ユニット４６に導く形状である。
【００５０】
フード５５は、略正方形の枠５５ａを有しており、その四隅には取り付け用のねじ穴５５ｂが設けられている。また、枠５５ａの内側における左右方向中央には仕切板５５ｃが設けられており、仕切板５５ｃの右側の枠５５ａ内には開口５５ｄが設けられている。一方、仕切板５５ｃの左側には、仕切板５５ｃの前端から左前方に延びる三角形状をした板部材５５ｅと、枠５５ａの下辺から左前上方に延びる板部材５５ｆと、枠５５ａの上辺から左前下方に延びる板部材５５ｇとが設けられている。これらの板部材５５ｅ，５５ｆ，５５ｇの前端は、三角導入部５５ｈに連結されている。なお、フード５５の左側面は、解放されている。
【００５１】
このような構成により、ファン５３によって導入された外気は、半分は板部材５５ｅ，５５ｆ，５５ｇ及び三角導入部５５ｈによって中央高さ位置において左前方へ導かれる。そして、残りの半分は、開口５５ｄからそのまま前方へ導かれる。
【００５２】
なお、フード５５の取り付け位置は、三角導入部５５ｈがメディアドライブ４１，４１間の隙間Ｓに対向するように配置される位置である。また、仕切板５５ｃの右の開口５５ｄは基板ユニット４６側に露出する位置である。これにより、基板ユニット４６に外気を導いて冷却することができるとともに、メディアドライブ４１，４１間の隙間Ｓに外気を導くことができる。
【００５３】
次に、ファン５２，５３及びフード５４，５５によってパブリッシャ１のケース２内に導入された外気の流れについて説明する。
図７及び図９に示すように、メディアドライブ４１の左後方に配置されたファン５２によって導入された外気は、フード５４によって高さ方向中央部の狭い導入口５４ｇに導かれ、メディアドライブ４１，４１間の隙間Ｓに導かれる。外気は、隙間Ｓに沿って前方（図７中左方）へ流れて、上下のメディアドライブ４１，４１を冷却する。そして、一部の外気は、隙間Ｓから横に流れ、メディアドライブ用フレーム４７ａに設けられている切欠き穴４７ｅから電源ユニット４２の方に流れる（図９参照）。隙間Ｓを通ってメディアドライブ４１の前方へ抜けた外気は、下方へ向かい、レーベルプリンタ１１の方へ流れていく。なお、ファン５２によって導入された外気は、フィルタ５６を通過して、埃等が取り除かれている。
【００５４】
一方、メディアドライブ４１の右後方に配置されたファン５３によって導入された外気は、図９に示すように、一部はフード５５の開口５５ｄから前方へ導かれて、基板ユニット４６を冷却する。また、残りの外気は、フード５５の板部材５５ｅ，５５ｆ，５５ｇ及び三角導入部５５ｈによってメディアドライブ４１，４１間の隙間Ｓに導かれて、メディアドライブ４１を冷却する。なお、隙間Ｓに導かれた外気の一部は、ファン５２によって導入された外気と同様に、メディアドライブ用フレーム４７ａに設けられている切欠き穴４７ｅから電源ユニット４２の方に流れる（図９参照）。また、隙間Ｓを通ってメディアドライブ４１の前方へ抜けた外気は、下方へ向かい、レーベルプリンタ１１の方へ流れる。なお、ファン５３によって導入された外気は、フィルタ５６を通過して、埃等が取り除かれている。
【００５５】
以上説明した本発明に係るパブリッシャ（メディア処理装置）１では、ファン５２，５３によって導入した外気が、フード５４，５５によってメディアドライブ４１，４１間の隙間Ｓに導かれるため、発熱しやすいメディアドライブ４１を外気によって冷却することができる。これにより、メディアドライブ４１の雰囲気温度を動作保障温度内に維持して、メディアドライブ４１の書き込み品質を良好に保つことができる。
【００５６】
また、メディアドライブ４１の側面に設けられているフレームである側板４７ａには、メディアドライブ４１，４１間の隙間Ｓの高さ位置に対応して切欠き穴４７ｅが設けられているため、ファン５２，５３及びフード５４，５５によってメディアドライブ４１，４１間の隙間Ｓに導入された外気の一部が、切欠き穴４７ｅを通過して流れて、パブリッシャ１内の他の機器を冷却することができる。
【００５７】
また、ファン５２，５３の中心高さ位置が、メディアドライブ４１，４１間の隙間Ｓの高さ位置に配置されているため、ファン５２，５３によって導入された外気は、同じ高さ位置にあるメディアドライブ４１，４１間の隙間Ｓを中心に流れるので、メディアドライブ４１，４１を効率よく冷却することができる。
【００５８】
また、本実施形態のように積層されているメディアドライブ４１の後方に上下方向にフラットケーブル４８が配線されている場合には、後方からメディアドライブ４１間の隙間Ｓに外気を導入する際に、フラットケーブル４８が障壁となる。このため、フラットケーブル４８の左右両側にファン５２，５３及びフード５４，５５を設けることで、フラットケーブル４８を回避してメディアドライブ４１間の隙間Ｓに確実に外気を流すことができ、メディアドライブ４１を確実に冷却することができる。
【００５９】
また、ファン５２に取り付けられている一方のフード５４は、導入した略全ての外気をメディアドライブ４１，４１間の隙間Ｓに導く形状であり、他方のフード５３は、導入した外気の一部をメディアドライブ４１，４１間の隙間Ｓに導くとともに、導入した外気の残りを他の機器（基板ユニット４６等）に導く形状である。そのため、一方のファン５２によって導入された外気の略全てをメディアドライブ４１，４１間の隙間Ｓに導くとともに、他方のファン５３によって導入された外気の一部をメディアドライブ４１，４１間の隙間Ｓに導くため、十分な外気の取り込み量により確実にメディアドライブ４１，４１を冷却することができる。また、他方のファン５３によって導入された残りの外気を他の機器（基板ユニット４６等）に導くため、他の機器も同時に冷却することができる。
【００６０】
また、メディアドライブ４１間の隙間Ｓに導かれてメディアドライブ４１を冷却した外気は、その後、レーベルプリンタ１１に向かって流れる。このように、レーベルプリンタ１１はメディアドライブ４１の下流側に配置されているので、レーベルプリンタ１１において生じたインクミストが上流側のメディアドライブ４１に流れ込むのを防止することができる。これにより、書き込みに用いられるレンズの汚れによる誤作動等の不具合を防止することができ、メディアドライブ４１の書き込み品質を良好に保つことができる。
【００６１】
なお、上記実施形態においては、ファン５２，５３及びフード５４，５５を２個ずつ設けた場合について例示したが、本発明においては、２個以上のファン及びフードを設ける形態としても良い。
また、本発明で用いられるメディアは、上記実施形態のメディアＭのような円板状のメディアに限定されるものではなく、矩形状等の多角形状や楕円状のメディアにも適用可能であり、また、その記録方式も、光記録方式、光磁気記録方式等、何ら限定されるものではない。
【図面の簡単な説明】
【００６２】
【図１】各部を閉状態としたパブリッシャ（メディア処理装置）の外観斜視図である。
【図２】各部を開状態としたパブリッシャの外観斜視図である。
【図３】パブリッシャのケースを外した状態の前方上側から見た斜視図である。
【図４】パブリッシャに設置されたレーベルプリンタ部分の斜視図である。
【図５】パブリッシャを後方から見た斜視図である。
【図６】ケースの背面パネルの内面を示す斜視図である。
【図７】図５中VII−VII位置のパブリッシャの前後方向の断面図である。
【図８】ケース内におけるメディアドライブ設置部分を示す後上方から見た斜視図である。
【図９】メディアドライブ設置部分を上方から見た平面図である。
【図１０】積層されたメディアドライブ及びメディアドライブ用フレームを示す斜視図である。
【図１１】図１０中XI方向から見た側面図である。
【図１２】左側のファンに設けられた一方のフードを後方右側から見た斜視図である。
【図１３】図１２のフードを前方左側から見た斜視図である。
【図１４】図１２のフードを上方から見た平面図である。
【図１５】図１２のフードを前方から見た正面図である。
【図１６】右側のファンに設けられた他方のフードを後方左側から見た斜視図である。
【図１７】図１６のフードを右側前方から見た斜視図である。
【図１８】図１６のフードを前方から見た正面図である。
【図１９】図１６のフードを上方から見た平面図である。
【符号の説明】
【００６３】
１…パブリッシャ（メディア処理装置）、１１…レーベルプリンタ、３１…メディア搬送機構、４１…メディアドライブ、３６…搬送アーム、４２…電源ユニット（他の機器）、Ｓ…隙間、４６…基板ユニット（他の機器）、４７ａ，４７ｂ…側板（側面のフレーム）、４７ｅ…切欠き穴（切欠き）４８…フラットケーブル、５２，５３…ファン、５４…一方のフード、５５…他方のフード、５６…フィルタ、Ｍ…メディア。
【図１】
0004849015.tif 000002
【図２】
0004849015.tif 000003
【図３】
0004849015.tif 000004
【図４】
0004849015.tif 000005
【図５】
0004849015.tif 000006
【図６】
0004849015.tif 000007
【図７】
0004849015.tif 000008
【図８】
0004849015.tif 000009
【図９】
0004849015.tif 000010
【図１０】
0004849015.tif 000011
【図１１】
0004849015.tif 000012
【図１２】
0004849015.tif 000013
【図１３】
0004849015.tif 000014
【図１４】
0004849015.tif 000015
【図１５】
0004849015.tif 000016
【図１６】
0004849015.tif 000017
【図１７】
0004849015.tif 000018
【図１８】
0004849015.tif 000019
【図１９】
0004849015.tif 000020